(57)【要約】【課題】複数のアンテナを備える時、各アンテナの受信レベルを等しくすることにより、良好な受信状態を保つことが可能となるアンテナアンプのゲイン制御方法およびそれを用いたフェーズダイバーシティ受信機を提供する。【解決手段】受信レベル比較部５が、Ｓメーター２３、３３、４がそれぞれ検出したメイン側チューナー２２の受信レベルＡ、サブ側チューナー３２の入力レベルＢ、フェーズ状態のレベルＣを取り込んで比較し、メインアンテナ２およびサブアンテナ３の受信レベルを求める。ゲイン制御部６は、受信レベルの値の低い方のアンテナの受信レベルが、受信レベルの値の高い方のアンテナの受信レベルと等しくなるように、メインアンテナアンプ２１およびサブアンテナアンプ３１に対しゲインを制御する。【選択図】図１
2011082903.tif 000002
【特許請求の範囲】
【請求項１】
複数のアンテナから各アンテナの受信レベルを検出する受信レベル検出ステップと、
前記受信レベル検出ステップにて検出した各アンテナの受信レベルを比較する受信レベル比較ステップと、
前記受信レベル比較ステップの比較結果に基づいて受信レベルの値の低い方のアンテナの受信レベルが受信レベルの値の高い方のアンテナの受信レベルと等しくなるようにアンテナアンプのゲインを制御するゲイン制御ステップとを含むことを特徴とするアンテナアンプのゲイン制御方法。
【請求項２】
請求項１に記載のアンテナアンプのゲイン制御方法を用いたフェーズダイバーシティ受信機であって、
複数のアンテナおよび各アンテナに接続したアンテナアンプを設け、
各アンテナの受信レベルを検出する受信レベル検出手段と、
前記受信レベル検出手段の検出した各アンテナの受信レベルを比較する受信レベル比較手段と、
前記受信レベル比較手段の比較結果に基づいて受信レベルの値の低い方のアンテナの受信レベルが受信レベルの値の高い方のアンテナの受信レベルと等しくなるようにアンテナアンプのゲインを制御するゲイン制御手段を備えたことを特徴とするフェーズダイバーシティ受信機。
【発明の詳細な説明】
【技術分野】
【０００１】
本発明は、アンテナアンプを備えたフェーズダイバーシティ受信機に係り、特に、アンテナアンプのゲイン制御方法とそれを用いたフェーズダイバー受信機に関するものである。
【背景技術】
【０００２】
近年、自動車などの移動体が受信する情報は、多様化、大容量化が進んでいる。そのため、移動体に搭載される受信機に関しては、性能の改善、向上が常に求められている。例えば、移動体の移動につれてマルチパスやフェージングが発生するので、受信状況が悪化することが知られている。そこで、移動体における受信状況を改善する受信機として、複数のアンテナを使用したフェーズダイバーシティ受信機が高い需要を得ており、種々の技術が提案されている（例えば、特許文献１など）。
【０００３】
フェーズダイバーシティ受信機とは、放送波を複数のアンテナで受信し、そのアンテナ出力を受信回路にそれぞれ供給すると共に、それらの中間周波信号が同相となるように制御してから合成し、その合成した中間周波信号から信号の復調を行うものである。
【０００４】
ところで、フェーズダイバーシティ受信機にアンテナを２本設けた場合、一方がメインアンテナ、他方がサブアンテナとなる。メインアンテナは、ゲインは高いが妨害を受け易く、アンテナアンプを設けてゲインを補正している。これに対して、サブアンテナは、ゲインが低い分、妨害は受け難い。サブアンテナは通常、アンプレスであって、アンテナ感度に関しては受身となっていることが多い。
【先行技術文献】
【特許文献】
【０００５】
【特許文献１】特開２００６−１４８４１０号公報
【発明の概要】
【発明が解決しようとする課題】
【０００６】
従来のフェーズダイバーシティ受信機には次のような問題点が指摘されていた。すなわち、フェーズダイバーシティ受信機に接続されるアンテナのゲイン補正用アンプはゲインが固定である。そのため、メインアンテナとサブアンテナにおいて、指向性やアンテナアンプの特性差などが原因となり、ゲイン差が生じていた。
【０００７】
フェーズダイバーシティ用の２チャンネルアンテナにおいて、メインアンテナとサブアンテナとでゲインが異なると、ゲインの低い方に支配される。その結果、アンテナ感度の低下を招いていた。フェーズダイバーシティとしての理想的な状態は、メインアンテナおよびサブアンテナそれぞれのゲインが等しい状態である。したがって、このような状態を作り、メインアンテナとサブアンテナの受信レベルを等しくすることで、受信状態を安定させる技術が待たれていた。
【０００８】
本発明は、上述した状況を鑑みて提案されたものであり、その目的は、複数のアンテナを備える時、各アンテナの受信レベルを等しくすることにより、良好な受信状態を保つことが可能となるアンテナアンプのゲイン制御方法およびそれを用いたフェーズダイバーシティ受信機を提供することにある。
【課題を解決するための手段】
【０００９】
上記目的を達成するために、本発明のアンテナアンプのゲイン制御方法は、複数のアンテナから各アンテナの受信レベルを検出する受信レベル検出ステップと、前記受信レベル検出ステップにて検出した各アンテナの受信レベルを比較する受信レベル比較ステップと、前記受信レベル比較ステップの比較結果に基づいて受信レベルの値の低い方のアンテナの受信レベルが受信レベルの値の高い方のアンテナの受信レベルと等しくなるようにアンテナアンプのゲインを制御するゲイン制御ステップとを含むことを特徴としている。
【００１０】
また、本発明は、このようなアンテナアンプのゲイン制御方法を用いたフェーズダイバーシティ受信機も、発明の態様としている。すなわち、本発明のフェーズダイバーシティ受信機では、複数のアンテナおよび各アンテナに接続したアンテナアンプを設け、各アンテナの受信レベルを検出する受信レベル検出手段と、前記受信レベル検出手段の検出した各アンテナの受信レベルを比較する受信レベル比較手段と、前記受信レベル比較手段の比較結果に基づいて受信レベルの値の低い方のアンテナの受信レベルが受信レベルの値の高い方のアンテナの受信レベルと等しくなるようにアンテナアンプのゲインを制御するゲイン制御手段を備えたことを特徴とするものである。
【発明の効果】
【００１１】
本発明によれば、複数のアンテナを備える時、各アンテナに入るレベルが異なったとしても、受信レベルの値が高いアンテナの受信レベルに合わせるようにアンテナアンプのゲインを制御することで、良好な受信状態を保つことが可能となり、受信の安定化を図ることができる。
【図面の簡単な説明】
【００１２】
【図１】本発明に係る代表的な実施形態の構成図。
【発明を実施するための形態】
【００１３】
以下、本発明を実施するための形態の一例について、図１を参照して具体的に説明する。図１は本発明に係る代表的な実施形態のブロック図である。本実施形態はダイバーシティ受信機に適用したものである。
【００１４】
図１を示すように、ダイバーシティ受信機１にはメインアンテナ２およびサブアンテナ３が設けられている。これらのアンテナ２、３には、それぞれメインアンテナアンプ２１、サブアンテナアンプ３１が接続されている。また、各アンテナアンプ２１、３１にはメイン側チューナー２２、サブ側チューナー３２が設置されている。
【００１５】
メイン側チューナー２２側にはメイン側チューナー２２の受信レベルＡを検出するメイン側Ｓメーター２３が接続され、サブ側チューナー３２にはサブ側チューナー３２の入力レベルＢを検出するサブ側Ｓメーター３３が接続されている。
【００１６】
さらに、メイン側Ｓメーター２３およびサブ側Ｓメーター３３にはフェーズ状態（メインとサブの合成後）のレベルＣを検出するフェーズ用Ｓメーター４が接続されている。これらＳメーター２３、３３、４には、受信レベル比較部５が接続されており、さらに受信レベル比較部５にはゲイン制御部６が接続されている。
【００１７】
このような構成を有する本実施形態では、メイン側Ｓメーター２３がメイン側チューナー受信レベルＡを検出し、サブ側Ｓメーター３３がサブ側チューナー入力レベルＢを検出し、フェーズ用Ｓメーター４がフェーズ状態のレベルＣを検出する（受信レベル検出ステップ）。
【００１８】
そして、受信レベル比較部５では、Ｓメーター２３、３３、４がそれぞれ検出したレベルＡ、Ｂ、Ｃを取り込んで比較し、メインアンテナ２およびサブアンテナ３それぞれの受信レベルを求める（受信レベル比較ステップ）。メインアンテナ２およびサブアンテナ３の受信レベルの高低は、レベルＡとレベルＢにより決まる。また、レベルＣと、レベルＡおよびレベルＢとの比較は、メインアンテナ２およびサブアンテナ３のゲイン制御が動作するかどうかを確認するために行っている。
【００１９】
すなわち、メインアンテナ２およびサブアンテナ３のレベル差が大きく、ゲインの低い方に支配された状態となってメインアンテナ２およびサブアンテナ３のゲイン制御が動作しなかった場合、レベルＣはレベルＡまたはレベルＢよりも小さくなる。
【００２０】
そこで、レベルＣとレベルＡを比較してレベルＣがレベルＡよりも大きければ、メインアンテナ２のゲイン制御動作を確認することができる。また、レベルＣとレベルＢを比較してレベルＣがレベルＢよりも大きければ、サブアンテナ３のゲイン制御動作確認することができる。
【００２１】
続いて、受信レベル比較部５の導いた結果に基づき、受信レベルの値の低い方のアンテナの受信レベルが、受信レベルの値の高い方のアンテナの受信レベルと等しくなるように、ゲイン制御部６が、メインアンテナアンプ２１およびサブアンテナアンプ３１に対しゲイン制御信号Ｄを自動的に送出する（ゲイン制御ステップ）。
【００２２】
上述したように、アンテナアンプのゲインが固定であった従来のフェーズダイバーシティ受信機では、メインアンテナ２とサブアンテナ３にゲイン差が生じていることになる。そこで、上記実施形態では、フェーズダイバーシティ用の２チャンネルアンテナ構成において、メインアンテナ２とサブアンテナ３の両方にアンプ２１、３１を取り付け、両アンテナ２、３のゲインが異なった場合には、ゲイン制御部６が、これらアンプ２１、３１のゲインを自動的に制御する。
【００２３】
このような実施形態によれば、アンテナアンプ２１、３１のゲイン自動制御により、受信レベルの値の低い方のアンテナの受信レベルを、受信レベルの値の高い方のアンテナの受信レベルと等しくすることが可能である。したがって、指向性やアンテナアンプの特性差などが原因となってメインアンテナ２とサブアンテナ３にゲイン差が生じたとしても、これを解消してメインアンテナ２およびサブアンテナ３それぞれのゲインを等しくすることができる。
【００２４】
この結果、フェーズダイバーシティとしての理想的な状態を常に確保することが可能となる。これにより、ゲインの低い方のアンテナ感度に支配されるといった不具合がなく、良好な受信状態を安定して保持して、フェーズダイバーシティ受信機の受信性能の向上に寄与することができる。
【００２５】
なお、本発明と上記実施形態に限定されるものではなく、例えば図１では実施形態の要部を示したので、スピーカやアンテナ切換え回路、中間周波数を得るミキサーなど、ダイバーシティ受信機の基本構成は省略したが、これらの部材の構成は適宜選択可能である。また、本発明は車載用のダイバーシティ受信機として好適であるが、その他の移動体用受信機や携帯用受信機に適用することも可能である。
【符号の説明】
【００２６】
１…ダイバーシティ受信機
２…メインアンテナ
２１…メインアンテナアンプ
２２…メイン側チューナー
２３…メイン側Ｓメーター
３…サブアンテナ
３１…サブアンテナアンプ
３２…サブ側チューナー
３３…サブ側Ｓメーター
４…フェーズ用Ｓメーター
５…受信レベル比較部
６…ゲイン制御部
Ａ…メイン側チューナー受信レベル
Ｂ…サブ側チューナー入力レベル
Ｃ…フェーズ状態のレベル
Ｄ…ゲイン制御信号
【図１】
2011082903.tif 000003